(57)【要約】【課題】キャリアアグレゲーションを行ってＲＦ信号を受信する受信装置において、複数のオペレーティングバンドのＲＦ信号を干渉を発生させずにＩＦ信号に変換する手法が求められていた。【解決手段】本発明の受信装置は、複数のオペレーティングバンドのＲＦ信号を受信する受信手段と、複数の素数の値を記憶する素数記憶手段と、素数記憶手段に記憶された素数の中から分周比を決定する分周比決定手段と、分周比決定手段で決定された分周比でローカル信号を発振する複数のローカル信号発振手段と、複数のローカル信号発振手段からそれぞれ発振される各ローカル信号を合成して合成ローカル信号を生成する合成手段と、合成ローカル信号を用いてＲＦ信号をＩＦ信号に周波数変換する周波数変換手段と、を備える。【選択図】図２
2013126074.tif 000002
【特許請求の範囲】
【請求項１】
複数のオペレーティングバンドのＲＦ信号を受信する受信手段と、
複数の素数の値を記憶する素数記憶手段と、
前記素数記憶手段に記憶された素数の中から分周比を決定する分周比決定手段と、
前記分周比決定手段で決定された分周比でローカル信号を発振する複数のローカル信号発振手段と、
前記複数のローカル信号発振手段からそれぞれ発振される各ローカル信号を合成して合成ローカル信号を生成する合成手段と、
前記合成ローカル信号を用いて前記ＲＦ信号をＩＦ信号に周波数変換する周波数変換手段と、
を備える受信装置。
【請求項２】
オペレーティングバンドに関する情報を入力する入力手段と、
前記オペレーティングバンドに関する情報に基づいて特定されるＲＦ周波数と目標ＩＦ周波数とに基づいて仮の分周比を計算する仮分周比計算手段と、
を更に備え、
前記決定手段は、前記素数記憶手段に記憶された素数の中から前記仮分周比より小さい素数の値を前記分周比として決定する、
請求項１に記載の受信装置。
【請求項３】
前記決定手段は、前記素数記憶手段に記憶された素数の中から前記仮分周比より小さく、かつ、最も近い素数の値を前記分周比として決定する、
請求項２に記載の受信装置。
【請求項４】
前記周波数変換手段で変換された前記ＩＦ信号をデジタル信号に変換するアナログ／デジタル変換手段と、
前記デジタル信号を復調する復調手段と、
を更に具備し、
前記目標ＩＦ周波数は、前記アナログ／デジタル変換手段におけるサンプリング周波数とナイキスト周波数との間の周波数帯の中から設定される、
請求項２又は３に記載の受信装置。
【請求項５】
前記複数のローカル信号発振手段の各々は、前記分周比決定手段において前記複数のローカル信号発振手段の各々に対して個別に決定される各分周比の値と、前記複数のローカル信号発振手段の各々で共通する比較周波数の値と、をそれぞれかけ合わせたローカル周波数のローカル信号を発振する、
請求項１乃至４のいずれか１項に記載の受信装置。
【請求項６】
前記仮分周比計算手段は、前記オペレーティングバンド毎に｛（前記ＲＦ周波数−前記目標ＩＦ周波数）／比較周波数｝の値を前記オペレーティングバンド毎の仮の分周比として計算する、
請求項１乃至５のいずれか１項に記載の受信装置。
【請求項７】
前記周波数変換手段における周波数変換後のＩＦ周波数と前記復調手段における復調後のＤＣ周波数との差分をＮＣＯ周波数として計算するＮＣＯ周波数計算手段を更に備える、請求項１乃至６のいずれか１項に記載の受信装置。
【請求項８】
複数のＰＬＬ回路と複数の復調回路とを有する受信装置で用いられる情報処理装置であって、
オペレーティングバンドに関する情報を入力する入力手段と、
前記オペレーティングバンドに関する情報に基づいて特定されるＲＦ周波数と目標ＩＦ周波数とに基づいて仮の分周比を計算する仮分周比計算手段と、
複数の素数の値を記憶する素数記憶手段と、
前記素数記憶手段に記憶された素数の中から前記仮分周比より小さい素数の値を前記分周比として決定する分周比決定手段と、
を備える情報処理装置。
【請求項９】
前記分周比決定手段で決定された分周比に前記複数のＰＬＬ回路で共通である比較周波数をかけたローカル周波数を計算するローカル周波数計算手段と、
前記オペレーティングバンドに関する情報に基づいて特定されるＲＦ周波数と前記ローカル周波数との差分を具体的なＩＦ周波数として計算するＩＦ周波数計算手段と、
前記オペレーティングバンドに関する情報に基づいて特定されるＤＣ周波数と前記具体的なＩＦ周波数との差分をＮＣＯ周波数として計算するＮＣＯ周波数計算手段と、
を更に具備する請求項９に記載の情報処理装置。
【請求項１０】
オペレーティングバンドに関する情報を入力する入力ステップと、
前記オペレーティングバンドに関する情報に基づいて特定されるＲＦ周波数と目標ＩＦ周波数とに基づいて仮の分周比を計算する仮分周比計算ステップと、
複数の素数が記憶された記憶部から前記仮分周比より小さい素数の値を選択する選択ステップと、
前記選択された素数を分周比として決定する決定ステップと、
を有する分周比決定方法。
【発明の詳細な説明】
【技術分野】
【０００１】
本発明は受信装置に関し、特にキャリアアグレゲーションによって複数のＲＦ周波数帯域で送信される信号を受信する受信装置に関する。
【背景技術】
【０００２】
現在３ＧＰＰではＬＴＥ（Long Term Evolution）の後継規格であるＬＴＥ−Ａｄｖａｎｃｅｄの標準化が進められている。ＬＴＥシステムでは、１つの周波数バンドに配置されるＬＴＥキャリアは最大２０ＭＨｚと規定されているが、ＬＴＥ−Ａｄｖａｎｃｅｄでは更なる高速通信を実現するためにより広い伝送帯域幅を使用して通信することが検討されている。
【０００３】
ここで、ＬＴＥ−Ａｄｖａｎｃｅｄシステムは、ＬＴＥシステムへの後方互換性を実現することが好ましく、また、高い周波数利用効率が求められる。そこで、ＬＴＥ−Ａｄｖａｎｃｅｄシステムでは、各周波数バンドに配置された複数のＬＴＥキャリアを組み合わせて通信を行うキャリアアグレゲーション（carrier  aggregation：以下、ＣＡと略すことがある）が検討されている（例えば先行文献１〜３）。
【先行技術文献】
【特許文献】
【０００４】
【特許文献１】特開２０１０−１７８０２４号公報
【特許文献２】特表２０１１−５２５７５０号公報
【特許文献３】特表２０１１−５２４７０２号公報
【発明の概要】
【発明が解決しようとする課題】
【０００５】
キャリアアグレゲーションでは、複数のＬＴＥキャリアにそれぞれ対応するローカル信号をミキシングしてＲＦ帯周波数の電気信号（以下ＲＦ信号と略する）をＩＦ帯周波数の電気信号（以下ＩＦ信号と略する）に変換する処理が受信装置側で必要となる。ここで、背景技術に係る受信装置は、ＬＴＥキャリアのＲＦ周波数とコンバート先のＩＦ周波数との差分、すなわち（ＲＦ周波数−ＩＦ周波数）を比較周波数で除算した値に最も近い整数を分周比として求め、上記ローカル信号を生成している。
【０００６】
しかしながら、このような手法で生成した複数のローカル信号を合成してＲＦ信号にミキシングすると、各ローカル信号が干渉してしまう可能性がある。例えば、このような手法で求めた１つＬＴＥキャリアに対する分周比が１３６であり、他のＬＴＥキャリアに対する分周比が５４４であった場合、後者の分周比で生成するローカル信号は、前者の分周比で生成するローカル信号の４倍波と等しくなる。
【０００７】
従って、このようなローカル信号同士を合成してミキシングを行うとローカル信号間での干渉により適切にＲＦ信号をＩＦ信号にダウンコンバートできないという問題が発生する。
【０００８】
上記課題を鑑み、本願発明は、干渉を抑えて複数のオペレーティングバンドのＲＦ信号をＩＦ信号に変換する受信装置、情報処理装置並びに分周比決定方法を提供することを目的とする。
【課題を解決するための手段】
【０００９】
本発明の受信装置は、複数のオペレーティングバンドのＲＦ信号を受信する受信手段と、複数の素数の値を記憶する素数記憶手段と、前記素数記憶手段に記憶された素数の中から分周比を決定する分周比決定手段と、前記分周比決定手段で決定された分周比でローカル信号を発振する複数のローカル信号発振手段と、前記複数のローカル信号発振手段からそれぞれ発振される各ローカル信号を合成して合成ローカル信号を生成する合成手段と、前記合成ローカル信号を用いて前記ＲＦ信号をＩＦ信号に周波数変換する周波数変換手段と、を備える。
【００１０】
また、本発明の情報処理装置は、オペレーティングバンドに関する情報を入力する入力手段と、前記オペレーティングバンドに関する情報に基づいて特定されるＲＦ周波数と目標ＩＦ周波数とに基づいて仮の分周比を計算する仮分周比計算手段と、複数の素数の値を記憶する素数記憶手段と、前記素数記憶手段に記憶された素数の中から前記仮分周比より小さい素数の値を前記分周比として決定する分周比決定手段と、を備える。
【００１１】
また、本発明の分周比決定方法は、オペレーティングバンドに関する情報を入力する入力ステップと、前記オペレーティングバンドに関する情報に基づいて特定されるＲＦ周波数と目標ＩＦ周波数とに基づいて仮の分周比を計算する仮分周比計算ステップと、複数の素数が記憶された記憶部から前記仮分周比より小さい素数の値を選択する選択ステップと、前記選択された素数を分周比として決定する決定ステップと、を有する。
【発明の効果】
【００１２】
本願発明によれば、干渉を抑えて複数のオペレーティングバンドのＲＦ信号をＩＦ信号に変換する受信装置、情報処理装置並びに分周比決定方法を提供することができる。
【図面の簡単な説明】
【００１３】
【図１】ＬＴＥシステムで用いられる周波数帯域を纏めた周波数テーブルを示す図である。
【図２】実施の形態１に係る受信装置の構成を示すブロック図である。
【図３】実施の形態２に係る受信装置の構成を示すブロック図である。
【図４】実施の形態２に係る受信装置の回路構成を示すブロック図である。
【図５】実施の形態２に係るＦＰＧＡ回路の構成を示すブロック図である。
【図６】実施の形態２に係るＴＲＸ設定制御回路の構成を示すブロック図である。
【図７】実施の形態２に係る素数テーブルの一例を示す図である。
【図８】実施の形態２に係るキャリアアグレゲーションを説明する図である。
【図９】実施の形態２に係る分周比決定処理の流れを示すフローチャート図である。
【図１０】実施の形態２に係る分周比決定処理で用いられるオペレーティングバンドに関する情報及び計算された具体的数値を示す一覧表である。
【図１１】実施の形態２に係るミキサ１３における周波数変換方法を説明する図である。
【発明を実施するための形態】
【００１４】
本発明の実施の形態について以下に図面を参照して説明する。以下の説明は、本発明の好適な実施の形態を示すものであって、本発明の範囲が以下の実施の形態に限定されるものではない。以下の説明において、同一の符号が付されたものは実質的に同様の内容を示している。
【００１５】
（実施の形態１）
本発明に係る受信装置は、各周波数バンドに配置された複数のキャリアを組み合わせて通信を行なう技術であるキャリアアグレゲーションを利用して信号を受信する。図１に３ＧＰＰで指定されているＬＴＥシステムの周波数バンドの一覧表を示す。
【００１６】
１つの周波数バンドに配置されるＬＴＥキャリアは最大で２０ＭＨｚであるが、本発明の受信装置は、キャリアアグレゲーションを行い複数の周波数バンドを同時に活用することで併せて２０ＭＨｚを超える広帯域伝送を可能とする。具体的には、本発明の受信装置は図１の一覧表から複数の周波数バンドを選択して通信を行う。以下、図面を参照して本発明の実施の形態１に係る受信装置について説明する。
【００１７】
図２は、本実施の形態１に係る受信装置の構成を示すブロック図である。受信装置１００は、受信部１０１と、周波数変換部１０２と、素数記憶部１０３と、分周比決定部１０４と、ローカル信号発振部１０５と、ローカル信号合成部１０６と、を備える。
【００１８】
受信部１０１は、複数のオペレーティングバンドのＲＦ信号を受信する。受信装置１０１が用いられる通信システムでは、キャリアアグレゲーションを利用して複数のオペレーティングバンドのＲＦ信号が送信されるため、受信部１０１は、複数のオペレーティングバンドのＲＦ信号を同時に受信する。受信部１０１は、受信したＲＦ信号を周波数変換部１０２に送る。
【００１９】
周波数変換部１０２は、受信部１０１より送られてきたＲＦ信号をＩＦ信号にダウンコンバートする。具体的には、周波数変換部１０２は、上記ＲＦ信号に後述するローカル信号合成部１０５より送られてくる合成ローカル信号を混合することで高周波帯域の信号であるＲＦ信号を中間周波数帯域の信号であるＩＦ信号に変換する。
【００２０】
素数記憶部１０３は、複数の素数の値を記憶する。
【００２１】
分周比決定部１０４は、素数記憶部１０３に記憶された素数の中から分周比を決定する。ここで、分周比決定部１０４は、ローカル信号発振部毎に個別の分周比を決定し、決定した各分周比を制御信号として各ローカル信号発振部にそれぞれ出力する。
【００２２】
後述のようにローカル信号発振部１０５は、オペレーティングバンド毎に対応する個別のローカル信号発振部を有する。分周比決定部１０４は、オペレーティングバンド毎に生成した各制御信号を対応するローカル信号発振部にそれぞれ出力する。
【００２３】
ローカル信号発振部１０５は、キャリアアグレゲーションで同時に用いられるオペレーティングバンド数に対応する数の個別のローカル信号発振部を含む。図２においては、４つのオペレーティングバンドを同時に用いるキャリアアグレゲーションを想定し、ローカル信号発振部１０５は、第１ローカル信号発振部１０５−１〜第４ローカル信号発振部１０５−４を有する。
【００２４】
第１ローカル信号発振部１０５−１〜第４ローカル信号発振部１０５−４は、それぞれ分周比決定部１０４で個別に決定される第１〜第４の分周比にそれぞれ基づく第１ローカル周波数〜第４ローカル周波数のローカル信号を生成してローカル信号合成部１０６に出力する。
【００２５】
ローカル信号合成部１０６は、第１ローカル信号発振部１０５−１〜第４ローカル信号発振部１０５−４より入力した個別のローカル信号を合成して合成ローカル信号を生成し、周波数変換部１０２に出力する。上述した通り、当該合成ローカル信号は周波数変換部１０２においてＲＦ周波数帯域の信号であるＲＦ信号からＩＦ周波通帯域へ信号であるＩＦ信号へ周波数を変換する際に用いられる。
【００２６】
以上のように、本実施の形態１に係る受信装置１００は、キャリアアグレゲーションによって複数のオペレーティングバンドで送信されるＲＦ信号を受信する受信装置である。受信装置１００は、同時に送信されるオペレーティングバンドの数に対応するローカル信号発振部を備える。ここで、受信装置１００は、各ローカル信号発振部に対する分周比を素数の中から選択する。従って、ローカル信号同士が干渉することが無く、適切にＲＦ信号をＩＦ信号に周波数変換する事が可能となる。
【００２７】
（実施の形態２）
図３は、本実施の形態２に係る受信装置の構成を示すブロック図である。受信装置２００は、無線受信部２１０と、周波数変換部２２０と、ローカル信号発振制御部２３０と、ローカル信号発振部２４０と、ローカル信号合成部２５０と、復調部２６０と、を備える。
【００２８】
無線受信部２１０は、アンテナを介して移動体通信用無線移動局より高周波帯域の無線電波に変調して送信されたＲＦ信号を受信する。ここで、移動体通信用無線移動局より、キャリアアグレゲーションを利用して複数のオペレーティングバンドのＲＦ信号が送信される。従って、無線受信部２１０は、複数のオペレーティングバンドのＲＦ信号を同時に受信する。無線受信部２１０は、受信したＲＦ信号を周波数変換部２２０に送る。
【００２９】
周波数変換部２２０は、無線受信部２１０より送られてきたＲＦ信号をＩＦ信号にダウンコンバートする。具体的には、周波数変換部２２０は、上記ＲＦ信号に後述するローカル信号合成部２５０より送られてくる合成ローカル信号を混合することで高周波帯域の信号であるＲＦ信号を中間周波数帯域の信号であるＩＦ信号に変換する。
【００３０】
ローカル信号発振制御部２３０は、外部より入力する設定信号に基づいて、ローカル信号発振部２４０を制御するローカル信号制御信号を生成する。
【００３１】
具体的には、ローカル信号発振制御部２３０は、設定信号入力部２３１と、仮分周比計算部２３２と、素数記憶部２３３と、分周比決定部２３４と、を備える。
【００３２】
設定信号入力部２３１は、少なくとも無線受信部２１０で受信されるＲＦ信号におけるオペレーティングバンドに関する情報が含まれる設定信号を外部の上位装置から入力する。本実施の形態２の受信装置２００は、キャリアアグレゲーションにより複数のオペレーティングバンドのＲＦ信号を無線受信部２１０で同時に受信するため、上記設定信号には複数のオペレーティングバンドに関する情報が含まれる。当該複数のオペレーティングバンドに関する情報は、仮分周比計算部２３２に送られる。
【００３３】
仮分周比計算部２３２は、設定信号入力部２３１より受け取ったオペレーティングバンドに関する情報で特定されるＲＦ周波数と目標ＩＦ周波数とに基づいて当該オペレーティングバンドのＲＦ信号に対する仮の分周比を計算する。ここで、目標ＩＦ周波数は、周波数変換部２２０で周波数変換される変換先のＩＦ信号のターゲットとなる周波数である。当該目標ＩＦ周波数は、設定信号入力部２３１が受け取る設定信号に含まれていても良いし、仮分周比計算部２３２が、所定のアルゴリズムに基づいて設定しても良い。
【００３４】
上述した通り、無線受信部２１０では複数のオペレーティングバンドのＲＦ信号が受信され、設定信号には当該複数のオペレーティングバンドに関する情報が含まれている。従って、仮分周比計算部２３２は、各オペレーティングバンドにおけるＲＦ周波数と各目標ＩＦ周波数とに基づいてオペレーティングバンド毎に仮の分周比を計算する。
【００３５】
素数記憶部２３３は、複数の素数の値を記憶する。複数の素数の値は、素数テーブルとしてテーブル状に纏められて素数記憶部２３３に記憶されている。
【００３６】
分周比決定部２３４は、仮分周比計算部２３２で求められた複数のオペレーティングバンド毎の仮分周比よりも小さい素数の値を前記複数のオペレーティングバンド毎の分周比として決定する。
【００３７】
より具体的には、分周比決定部２３４は、上記仮分周比よりも小さく、かつ、最も近い素数の値を素数記憶部２３３に記憶されている複数の素数を検索することで抽出し、当該素数の値を分周比として決定する。
【００３８】
求められた仮分周比より小さな素数を素数記憶部２３３に記憶された複数の素数の中から選択する構成とすることで少ない処理で分周比を決定することができる。
【００３９】
分周比決定部２３４は、オペレーティングバンド毎に決定した各分周比に基づいてオペレーティングバンド毎の制御信号を生成し、それぞれを第１ローカル信号発振部２４１〜第４ローカル信号発振部２４４に出力する。
【００４０】
ローカル信号発振部２４０は、キャリアアグレゲーションで同時に用いられるオペレーティングバンド数に対応する数の個別のローカル信号発振部を含む。図３においては、４つのオペレーティングバンドを同時に用いるキャリアアグレゲーションを想定し、ローカル信号発振部２４０は、第１ローカル信号発振部２４１〜第４ローカル信号発振部２４４を有する。
【００４１】
分周比決定部２３４より各制御信号を入力した第１ローカル信号発振部２４１〜第４ローカル信号発振部２４４は、それぞれ個別のローカル周波数を有するローカル信号を発振する。
【００４２】
ローカル信号合成部２５０は、第１ローカル信号発振部２４１〜第４ローカル信号発振部２４４より入力した個別のローカル信号を合成して合成ローカル信号を生成し、周波数変換部２２０に出力する。上述した通り、当該合成ローカル信号は周波数変換部２２０においてＲＦ周波数帯域の信号であるＲＦ信号からＩＦ周波通帯域へ信号であるＩＦ信号へ周波数を変換する際に用いられる。
【００４３】
次に、受信装置２００の具体的回路構成について説明する。図４は、受信装置２００の回路構成を示すブロック図である。受信装置２００は、アンテナ１０、低雑音増幅器１１、ＲＦフィルタ１２、ミキサ１３、ＩＦＡＭＰ１４、ＩＦフィルタ１５、Ａ／Ｄ変換器１６、第１ＰＬＬ回路２１、第２ＰＬＬ回路２２、第３ＰＬＬ回路２３、第４ＰＬＬ回路２４、ハイブリッド２５、ＦＰＧＡ（Field-Programmable Gate Array）５０、を備える。
【００４４】
アンテナ１０は、移動体通信用無線移動局より高周波帯域の無線電波に変調して送信された無線信号を受信して電気信号に変換する。当該高周波帯域の電気信号は低雑音増幅器１１に送られる。
【００４５】
低雑音増幅器１１は、アンテナ１０より入力した電気信号の電力を低雑音で増幅させる。増幅後の電気信号は、ＲＦフィルタ１２に送られる。
【００４６】
ＲＦフィルタ１２は、アンテナ１０で受信されて低雑音増幅器１１で増幅された電気信号のうち、所望の周波数成分だけを通過させ、不要な周波数成分を除去する。フィルタリング後の電気信号は、ミキサ１３に送られる。
【００４７】
ミキサ１３は、後述するハイブリット回路２５より入力する合成ローカル信号４５を用いてＲＦフィルタ１２より送られてくるＲＦ帯周波数の電気信号をＩＦ帯周波数の電気信号に変換する。変換後の電気信号は、ＩＦＡＭＰ１４に送られる。
【００４８】
ＩＦＡＭＰ１４は、ＩＦ帯周波数へダウンコンバートされた電気信号の電力を増幅させる。電力増幅後の電気信号は、ＩＦフィルタ１５に送られる。
【００４９】
ＩＦフィルタ１５は、ミキサ１３にて発生する不要なスプリアスを除去する。スプリアス除去後の電気信号はＡ／Ｄ変換器１６に送られる。
【００５０】
Ａ／Ｄ変換器１６は、スプリアス除去後の電気信号であるＡ／Ｄ入力信号（アナログ信号）に対して標本化及び量子化を行うことでＡ／Ｄ出力信号（デジタル信号）に変換する。Ａ／Ｄ出力信号は、ＦＰＧＡ５０に送られる。
【００５１】
ＦＰＧＡ５０は、ＣＰＲＩインターフェイスを通じて上位装置から入力されるＴＲＸ設定信号に基づいて、第１ＰＬＬ制御信号３１、第２ＰＬＬ制御信号３２、第３ＰＬＬ制御信号３３、第４ＰＬＬ制御信号３４を生成し、それぞれ対応した第１ＰＬＬ回路２１、第２ＰＬＬ回路２２、第３ＰＬＬ回路２３、第４ＰＬＬ回路２４を制御する。
【００５２】
第１ＰＬＬ回路２１は、シンセサイザー回路であり、第１ＰＬＬ制御信号３１に基づいて第１ローカル信号４１を発振する。具体的には、第１ＰＬＬ回路２１は、第１ＰＬＬ制御信号３１で指定される分周比の値に、第１ＰＬＬ回路２１〜第４ＰＬＬ回路２４で共通の比較周波数の値をかけた周波数の信号を第１ローカル信号４１として発振する。第２ＰＬＬ回路２２、第３ＰＬＬ回路２３、第４ＰＬＬ回路２４もそれぞれ同様に、対応するＰＬＬ制御信号３２〜３４で指定される各分周比の値に上記共通の比較周波数の値をかけた周波数の信号を第２〜第４ローカル信号としてそれぞれ発振する。
【００５３】
ハイブリッド回路２５は、第１ローカル信号４１、第２ローカル信号４２、第３ローカル信号４３、第４ローカル信号４４をそれぞれ合成して合成ローカル信号４５を生成する。第１〜第４ローカル信号を合成することで生成された合成ローカル信号４５は、ミキサ１３へ出力される。
【００５４】
次に、上記ＦＰＧＡ５０の具体構成について説明する。図５は、ＦＰＧＡ５０の内部構成を示すブロック図である。ＦＰＧＡ５０は、Inter-band carrier aggregation bandsに対応した４ルートの回路を備えている。具体的には、ＦＰＧＡ５０は、分配器５１と、第１復調回路６０と、第２復調回路７０と、第３復調回路８０と、第４復調回路９０と、ＴＲＸ設定制御回路３０と、を具備する。
【００５５】
分配器５１は、Ａ／Ｄ変換器１６より入力したＡ／Ｄ出力信号を４分割して第１復調回路６０〜第４復調回路９０にそれぞれ出力する。
【００５６】
第１復調回路６０は、分配器５１で分割された１つのＡ／Ｄ出力信号を受け取り、ＴＲＸ設定制御回路３０からの制御に従ってアップリンク出力データを取得する。具体的には第１復調回路６０は、ＮＣＯ（Numerically Controlled Oscillator）６１とＦＩＲ（Finite Impulse Responce）フィルタ６２と、を備える。
【００５７】
ＮＣＯ６１はデジタル直交復調器であり、ＴＲＸ設定制御回路３０より出力されるＮＣＯ制御信号３５に基づいてＩＦ帯周波数のＡ／Ｄ出力信号をＤＣ帯周波数の信号に変換する。
【００５８】
ＦＩＲフィルタ６２は、帯域制限することで受信周波数帯域外の不要ノイズとＡ／Ｄ変換器１６で発生する不要なスプリアスを除去し、上位装置にアップリンク出力データを送信する。また、ＦＩＲフィルタ６２は、ＦＩＲフィルタ制御信号３６に基づいてタップ係数を定めるので、通過帯域幅を自動制御することが可能である。
【００５９】
他の第２復調回路７０〜第４復調回路９０の各回路がそれぞれ備えるＮＣＯ７１、８１、９１、及びＦＩＲフィルタ７２、８２、９２、についても同様であるため説明を省略する。
【００６０】
このように分配器５１で４つのルートに分配されたＡ／Ｄ出力信号は、各オペレーティングバンド毎に個別に第１復調回路６０〜第４復調回路９０で復調されてアップリンク出力データが取り出される。
【００６１】
次に、ＴＲＸ設定制御回路３０について説明する。ＴＲＸ設定制御回路３０は、図３に示すローカル信号発振制御部２３０に対応し、図６に示すように設定信号入力部２３１と、仮分周比計算部２３２と、素数記憶部２３３と、分周比決定部２３４と、を備える。また、ＴＲＸ制御回路３０は、第１〜第４復調回路に対する割り付けを行う割り付け部２３５と、第１〜第４復調回路を制御する復調回路制御部２３６を更に備える。
【００６２】
設定信号入力部２３１は、ＴＲＸ設定信号を上位装置よりＣＰＲＩ(Common Public Radio Interface）で入力する。ここで、ＣＰＲＩとは、無線基地局装置の無線制御部と無線部の間のプロトコル・インタフェースの標準化規格である。ＴＲＸ設定信号には、少なくともアンテナ１０を介して受信されるＲＦ信号における複数のオペレーティングバンドに関する情報が含まれる。
【００６３】
割り付け部２３５は、設定信号入力部２３１が外部より入力したＴＲＸ設定信号に含まれる複数のオペレーティングバンドに関する情報に基づいて特定される各オペレーティングバンドを第１復調回路６０〜第４復調回路９０に割り付ける処理を行う。
【００６４】
仮分周比計算部２３２は、設定信号入力部２３１で入力されたＴＲＸ設定信号に含まれる複数のオペレーティングバンドに関する情報に基づいて仮の分周比を計算する。具体的には、仮分周比計算部２３２は、オペレーティングバンドに関する情報で指定されるオペレーティングバンドにおけるＲＦ周波数とダウンコンバート先のＩＦ周波数である目標ＩＦ周波数とに基づいて仮の分周比をオペレーティングバンド毎に計算する。ここで仮の分周比とは、オペレーティングバンドにおけるＲＦ周波数とダウンコンバート先のＩＦ周波数とで求まる大まかな分周比であり、具体的には、以下の計算式１で求められる値である。
（式１）
（ＲＦ帯周波数−目標ＩＦ帯周波数）／比較周波数
【００６５】
また、上述の通り目標ＩＦ周波数は、周波数変換部であるミキサ１３で周波数変換される変換先のＩＦ信号のターゲットとなるＩＦ周波数である。ここで、目標ＩＦ周波数は、ＡＤ変換器１６におけるサンプリング周波数とナイキスト周波数との間の周波数帯の中から設定される。周波数変換後のＩＦ信号はフィルタリング後にＡＤ変換器１６でデジタル信号に変換されるためである。
【００６６】
仮分周比計算部２３２は、オペレーティングバンド毎に計算した仮分周比の値を分周比決定部２３４に出力する。なお、本実施の形態１において、キャリアアグレゲーションで同時に使用されるオペレーティングバンドの数は４つであり、受信装置２００において４つのＰＬＬ回路を備えるものとして説明するがこれに限るものではなく、更に多くのオペレーティングバンドを使用してキャリアアグレゲーションする構成であっても良い。仮分周比計算部２３２は、当該４つのオペレーティングバンドのそれぞれについて仮分周比を求めて分周比決定部２３４に送る。
【００６７】
素数記憶部２３３は、複数の素数を記憶する。具体的には、素数記憶部２３３は、複数の素数の値が纏められた素数テーブルを記憶する。図６に当該素数テーブルの一例を示す。当該素数テーブルには、分周比として用いられ得る範囲の素数として２から７９７までの素数の値が纏められている。
【００６８】
分周比決定部２３４は、仮分周比計算部２３２で求められた複数のオペレーティングバンド毎の仮の分周比よりも小さい素数の値を前記複数のオペレーティングバンド毎の分周比として決定する。具体的には、分周比決定部２３４は、仮分周比計算部２３２よりオペレーティングバンド毎の４つの仮の分周比の値を入力し、素数記憶部２３３に記憶された素数テーブルを検索して、当該４つの仮の分周比の値に最も近く、かつ小さい素数をそれぞれ選択する。
【００６９】
分周比決定部２３４は、当該選択した４つの素数の値をそれぞれ分周比として決定し、当該分周比を示す４つの制御信号である第１ＰＬＬ制御信号３１〜第４ＰＬＬ制御信号３４を生成する。分周比決定部２３４は、生成した第１ＰＬＬ制御信号３１〜第４ＰＬＬ制御信号３４を、それぞれ対応する第１ＰＬＬ回路２１〜第４ＰＬＬ回路２４に出力する。
【００７０】
当該分周比決定部２３４で決定された分周比に基づいて各ＰＬＬ回路でそれぞれ生成される各ローカル信号はお互いに干渉しないため、ミキサ１３においてＲＦ信号をＩＦ信号に適切に変換することができる。
【００７１】
割り付け部２３５は、ＴＲＸ設定信号に含まれるオペレーティングバンドに関する情報に基づいて、各オペレーティングバンドを各ルートの復調回路に割り付ける。
【００７２】
復調回路制御部２３６は、ＮＣＯ制御信号３５とＦＩＲフィルタ制御信号３６を生成して出力する。復調回路制御部２３６は、上記制御信号の生成のために、各ＰＬＬ回路におけるローカル周波数の計算や、具体的なＩＦ帯周波数の計算、ＮＣＯ周波数の計算を行う。
【００７３】
次に、受信装置１００の動作について説明する。図８は、キャリアアグレゲーションの説明図である。図８は、アンテナを介して受信されるＲＦ帯域の信号がミキサ１３でＩＦ帯域の信号に変換された後、各オペレーティングバンドの信号が更にＮＣＯ６１、７１、８１、９１でそれぞれＤＣ帯域の信号に変換される様子を示している。以下、オペレーティングバンドをＯＢと略して説明する。
【００７４】
図１に示す周波数バンドの一覧表を参照して、図８（ａ）では、８２４〜８４９ＭＨｚの帯域であるＯＢ５と、１７１０〜１７５５ＭＨｚの帯域であるＯＢ４と、１９２０〜１９８０ＭＨｚの帯域であるＯＢ１と、２５００〜２５７０ＭＨｚの帯域であるＯＢ７とを、通信に使用するオペレーティングバンドとして選択する場合を一例として示している。
【００７５】
ここで、これら４つのＯＢの中からそれぞれ８３４ＭＨｚ、１７２０ＭＨｚ、１９５０ＭＨｚ、２５３５ＭＨｚを中心周波数とする２０ＭＨｚ幅のＬＴＥキャリアを使用するものとする。つまり、帯域幅が２０ＭＨｚ×４＝８０ＭＨｚの広帯域伝送システムとなる。
【００７６】
各ＯＢをデジタル処理するためには、ミキサ１３は、ＲＦ帯周波数をＩＦ帯周波数に周波数変換する必要がある。Ａ／Ｄ変換器１６のサンプリング周波数を２４５．７６ＭＨｚとすれば、ナイキスト周波数が１２２．８８ＭＨｚとなる。従って、周波数変換後の各ＬＴＥキャリアの周波数が、１２２．８８ＭＨｚ〜２４５．７６ＭＨｚの間になるように合成ローカル信号４５を用いてミキサ１３にて周波数変換する必要がある。
【００７７】
図８（ｂ）では、ＯＢ１、ＯＢ４、ＯＢ５、ＯＢ７、における各ＬＴＥキャリアに対して、１９４．３２ＭＨｚ、１７４．３２ＭＨｚ、１５４．３２ＭＨｚ、２１４．３２ＭＨｚをそれぞれ目標ＩＦ周波数として設定されている。
【００７８】
ＩＦ帯周波数に変換された信号は、最終的にＮＣＯ６１、７１、８１、９１で個別のＬＴＥキャリア毎にＤＣ帯周波数に変換される。図８（ｃ）では、ＯＢ５、ＯＢ４、ＯＢ１、ＯＢ７における２０ＭＨｚ幅の各ＬＴＥキャリアの信号が、それぞれ−３０ＭＨｚ、−１０ＭＨｚ、１０ＭＨｚ、３０ＭＨｚを中心周波数とするＤＣ帯域に変換されている。
【００７９】
図９は、本実施の形態１におけるＴＲＸ設定制御回路３０におけるローカル周波数の決定方法の流れを説明するフローチャートである。また図１０には、具体的な周波数の一覧表を示す。
【００８０】
まず、割り付け部２３５は、ＴＲＸ設定信号に含まれるオペレーティングバンドに関する情報で特定される通信に使用するＯＢを、順にルート１の第１復調回路６０、ルート２の第２復調回路７０、ルート３の第３復調回路８０、ルート４の第４復調回路９０に割り付ける（ステップＳ１０１）。
【００８１】
ここでは、具体的に、８２４〜８４９ＭＨｚのＯＢ５をルート１の第１復調回路６０に、１７１０〜１７５５ＭＨｚのＯＢ４をルート２の第２復調回路７０に、１９２０〜１９８０ＭＨｚのＯＢ１をルート３の第３復調回路８０に、２５００〜２５７０ＭＨｚのＯＢ５をルート４の第４復調回路９０に、それぞれ割り当てる。
【００８２】
次に、割り付け部２３５は、ＴＲＸ設定信号に含まれる目標とするＩＦ帯周波数に関する情報で特定される各目標とするＩＦ帯周波数を順にルート１の第１復調回路６０、ルート２の第２復調回路７０、ルート３の第３復調回路８０、ルート４の第４復調回路９０に割り付ける（ステップＳ１０２）。
【００８３】
ここでは、具体的に、１５４．３２ＭＨｚのＩＦ帯周波数をルート１の第１復調回路６０に、１７４．３２ＭＨｚのＩＦ帯周波数をルート２の第２復調回路７０に、１９４．３２ＭＨｚのＩＦ帯周波数をルート３の第３復調回路８０に、２１４．３２ＭＨｚのＩＦ帯周波数をルート４の第４復調回路９０に、それぞれ割り当てる。
【００８４】
次に、割り付け部２３５は、ＴＲＸ設定信号に含まれるＤＣ帯周波数に関する情報で特定されるＤＣ帯周波数を順にルート１の第１復調回路６０、ルート２の第２復調回路７０、ルート３の第３復調回路８０、ルート４の第４復調回路９０に割り付ける（ステップＳ１０３）。
【００８５】
ここでは、具体的に、−３０ＭＨｚのＤＣ帯周波数をルート１の第１復調回路６０に、−１０ＭＨｚのＤＣ帯周波数をルート２の第２復調回路７０に、＋１０ＭＨｚのＤＣ帯周波数をルート３の第３復調回路８０に、＋３０ＭＨｚのＤＣ帯周波数をルート４の第４復調回路９０に、それぞれ割り当てる。
【００８６】
次に、仮分周比計算部２３２は、｛（ＲＦ帯周波数−目標とするＩＦ帯周波数）／比較周波数｝を仮分周比としてＬＴＥキャリア毎に計算する（ステップＳ１０４）。
【００８７】
割り付け部２３５における割り付け処理により、ルート１に割り付けられたＯＢ５について、仮分周比計算部２３２は、以下の計算から第１の仮分周比を計算する。
（ＲＦ帯周波数−目標とするＩＦ帯周波数）／比較周波数
＝（８３４ＭＨｚ−１５４．３２ＭＨｚ）／５ＭＨｚ
＝１３５．９３６ＭＨｚ    
【００８８】
同様に、ルート２に割り付けられたＯＢ４について、仮分周比計算部２３２は、以下の計算から第２の仮分周比を計算する。
（ＲＦ帯周波数−目標とするＩＦ帯周波数）／比較周波数
＝（１７２０ＭＨｚ−１７４．３２ＭＨｚ）／５ＭＨｚ
＝３０９．１３６ＭＨｚ
【００８９】
同様に、ルート３に割り付けられたＯＢ１について、仮分周比計算部２３２は、以下の計算から第３の仮分周比を計算する。
（ＲＦ帯周波数−目標とするＩＦ帯周波数）／比較周波数
＝（１９５０ＭＨｚ−１９４．３２ＭＨｚ）／５ＭＨｚ
＝３５１．１３６ＭＨｚ
【００９０】
同様に、ルート４に割り付けられたＯＢ７について、仮分周比計算部２３２は、以下の計算から第４の仮分周比を計算する。
（ＲＦ帯周波数−目標とするＩＦ帯周波数）／比較周波数
＝（２５３５ＭＨｚ−２１４．３２ＭＨｚ）／５ＭＨｚ
＝４６４．１３６ＭＨｚ
【００９１】
ここで、比較周波数とは、第１ＰＬＬ回路２１、第２ＰＬＬ回路２２、第３ＰＬＬ回路２３、第４ＰＬＬ回路２４の比較周波数であり、共通である。ここでは１例として、比較周波数が５ＭＨｚに設定されているとする。
【００９２】
次に、分周比決定部１３４は、仮分周比計算部２３２がＯＢ毎に求めた仮分周比の値より小さい素数をそれぞれ分周比として決定する（ステップＳ１０５）。
【００９３】
上記ルート１〜ルート４についてそれぞれ求められた各仮分周比の値１３５．９３６、３０９．１３６、３５１．１３６、４６４．１３６、よりも小さく、かつ、最も近い素数の値は、それぞれ１３１、３０７、３４９、４６３、である。
【００９４】
分周比決定部２３４は、当該値をそれぞれ各ＰＬＬ回路の分周比として決定し、各ＰＬＬ回路に制御信号を出力する。各ＰＬＬ回路は、分周比決定部２３４で決定された自回路に対する分周比と比較周波数とをかけ合わせた周波数のローカル信号を生成する。
【００９５】
次に、復調回路制御部２３６は、次式より各ＰＬＬ回路におけるローカル周波数を計算する（ステップＳ１０６）。
（式２）
ローカル周波数＝分周比×比較周波数
【００９６】
ルート１に対応付けられたＯＢ５に対するローカル信号を発振する第１ＰＬＬ回路２１のローカル周波数である第１ローカル周波数は、（分周比１３１）×（比較周波数５ＭＨｚ）＝６５５．０ＭＨｚとなる。
【００９７】
同様に、ルート２に対応付けられたＯＢ４に対するローカル信号を発振する第２ＰＬＬ回路２２のローカル周波数である第２ローカル周波数は、（分周比３０７）×（比較周波数５ＭＨｚ）＝１５３５．０ＭＨｚとなる。
【００９８】
同様に、ルート３に対応付けられたＯＢ１に対するローカル信号を発振する第３ＰＬＬ回路２３のローカル周波数である第３ローカル周波数は、（分周比３４９）×（比較周波数５ＭＨｚ）＝１７４５．０ＭＨｚとなる。
【００９９】
同様に、ルート４に対応付けられたＯＢ７に対するローカル信号を発振する第４ＰＬＬ回路２４のローカル周波数である第４ローカル周波数は、（分周比４６３）×（比較周波数５ＭＨｚ）＝２３１５．０ＭＨｚとなる。
【０１００】
次に、復調回路制御部２３６は、次式より各ルートにおける具体的なＩＦ帯周波数を計算する（ステップＳ１０７）。
（式３）
具体的なＩＦ帯周波数＝ＲＦ帯周波数−ローカル周波数
【０１０１】
ルート１における具体的なＩＦ帯周波数は、８３４ＭＨｚ−６５５ＭＨｚ＝１７９ＭＨｚとなる。
【０１０２】
同様に、ルート２における具体的なＩＦ帯周波数は、１７２０ＭＨｚ−１５３５ＭＨｚ＝１８５ＭＨｚとなる。
【０１０３】
同様に、ルート３における具体的なＩＦ帯周波数は、１９５０ＭＨｚ−１７４５．０ＭＨｚ＝２０５．０ＭＨｚとなる。
【０１０４】
同様に、ルート４における具体的なＩＦ帯周波数は、２５３５ＭＨｚ−２３１５．０ＭＨｚ＝２２０．０ＭＨｚとなる。
【０１０５】
次に、復調回路制御部２３６は、次式より各ルートにおけるＮＣＯ周波数を計算する（ステップＳ１０８）。
（式４）
ＮＣＯ周波数＝ＮＣＯ後の周波数−具体的なＩＦ帯周波数
【０１０６】
割り付け部２３５により、ルート１の第１復調回路６０におけるＮＣＯ後の周波数として−３０ＭＨｚが割り付けられている。従って、復調回路制御部２３６は、第１復調回路６１に対するＮＣＯ周波数を、−３０−１７９．０＝−２０９．０ＭＨｚに設定する。
【０１０７】
同様に、復調回路制御部２３６は、第２復調回路７０に対するＮＣＯ周波数を、−１０−１８５．０＝−１９５．０ＭＨｚに設定する。
【０１０８】
同様に、復調回路制御部２３６は、第３復調回路８０に対するＮＣＯ周波数を、＋１０−２０５．０＝−１９５．０ＭＨｚに設定する。
【０１０９】
同様に、復調回路制御部２３６は、第４復調回路９０に対するＮＣＯ周波数を、＋３０−２２０．０＝−１９０．０ＭＨｚに設定する。
【０１１０】
復調回路制御部２３６は、当該計算した各ＮＣＯ周波数をＮＣＯ制御信号３５に含めて各ＮＣＯに出力することで各ＮＣＯを制御する。
【０１１１】
以上のように、本実施の形態２の受信装置は、移動体通信の無線基地局装置のLTE-AdvancedのInter-band carrier aggregation bandsにおいて、複数あるローカル周波数の分周比を素数から選択することで、各々が干渉しないように自動制御することを実現することを特徴としている。
【０１１２】
各ＰＬＬ回路においてお互い干渉しないローカル信号を発信するようにＴＲＸ設定制御回路において分周比が求められてＰＬＬ制御信号が生成されるため、複数のオペレーティングバンドのＲＦ信号を干渉することなくＩＦ信号に変換することが可能となる。
【０１１３】
なお、本発明は上記実施の形態に限られたものではなく、趣旨を逸脱しない範囲で適宜変更することが可能である。例えば、上記説明では周波数バンドを４つとしたが、これに限るものではなく、２つ以上の周波数バンドを使用して本方式を適用することが可能である。
【０１１４】
また、上記説明では、ＩＦ帯周波数をプラス側の周波数となるように、ミキサ１３をＬｏｗｅｒ  Ｌｏｃａｌとしたが、これに限るものではない。図１１に示すように、Ｕｐｐｅｒ Ｌｏｃａｌとの組み合わせを利用することも可能である。
【０１１５】
また、上記説明では、分周比決定部は、仮分周比より小さい素数の値を選択して分周比を決定する場合について説明したがこれに限るものではない。例えば、分周比決定部は、仮分周比より最も近い素数の値を分周比として決定しても良いし、仮分周比より大きく、かつ、最も近い素数の値を当該分周比として決定しても良い。
【０１１６】
また、上記ＴＲＸ設定制御回路３０は、オペレーティングバンド毎に割り当てられた番号とオペレーティングバンドにおけるＲＦ周波数帯域との対応関係が纏められたＲＦ周波数テーブル（周波数一覧表）を記憶するＲＦ周波数テーブル記憶部を更に備えていても良い。仮分周比計算部は、設定入力部で入力されたオペレーティングバンドに関する情報と当該ＲＦ周波数テーブルとに基づいて前記オペレーティングバンドにおけるＲＦ周波数を特定する構成とすることも可能である。
【０１１７】
また、上記ＴＲＸ設定制御回路３０は、設定入力部で外部から受け取ったＴＲＸ設定信号に含まれる情報に基づいて目標ＩＦ周波数を設定する目標ＩＦ周波数設定部を更に備えていても良い。この時、目標ＩＦ周波数設定部は、ＡＤ変換器１６におけるサンプリング周波数とナイキスト周波数との間の周波数帯の中から前記目標ＩＦ周波数を設定する。
【０１１８】
なお、上記説明した各部の機能はハードウェアによって実現されていても良いし、ハードウェアとソフトウェアの結合のより実現されていても良い。すなわち、上記各部の機能は、情報処理装置であるＣＰＵ（Central Processing Unit）に所定のプログラムを実行させることで実現されていても良い。
【０１１９】
上述したプログラムは、コンピュータ・システムがアクセス可能な様々な種類の記憶媒体に格納することが可能である。また、このプログラムは、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれ、インターネットも含まれる。
【０１２０】
その他、本発明は以下の形態をとることが可能である。
（付記１）
複数のオペレーティングバンドのＲＦ信号を受信する受信手段と、複数の素数の値を記憶する素数記憶手段と、前記素数記憶手段に記憶された素数の中から分周比を決定する分周比決定手段と、前記分周比決定手段で決定された分周比でローカル信号を発振する複数のローカル信号発振手段と、前記複数のローカル信号発振手段からそれぞれ発振される各ローカル信号を合成して合成ローカル信号を生成する合成手段と、前記合成ローカル信号を用いて前記ＲＦ信号をＩＦ信号に周波数変換する周波数変換手段と、を備える受信装置。
（付記２）
オペレーティングバンドに関する情報を入力する入力手段と、前記オペレーティングバンドに関する情報に基づいて特定されるＲＦ周波数と目標ＩＦ周波数とに基づいて仮の分周比を計算する仮分周比計算手段と、を更に備え、前記決定手段は、前記素数記憶手段に記憶された素数の中から前記仮分周比より小さい素数の値を前記分周比として決定する、付記１に記載の受信装置。
（付記３）
前記決定手段は、前記素数記憶手段に記憶された素数の中から前記仮分周比より小さく、かつ、最も近い素数の値を前記分周比として決定する、付記２に記載の受信装置。
（付記４）
前記周波数変換手段で変換された前記ＩＦ信号をデジタル信号に変換するアナログ／デジタル変換手段と、前記デジタル信号を復調する復調手段と、を更に具備し、前記目標ＩＦ周波数は、前記アナログ／デジタル変換手段におけるサンプリング周波数とナイキスト周波数との間の周波数帯の中から設定される、付記２又は３に記載の受信装置。
（付記５）
前記複数のローカル信号発振手段の各々は、前記分周比決定手段において前記複数のローカル信号発振手段の各々に対して個別に決定される各分周比の値と、前記複数のローカル信号発振手段の各々で共通する比較周波数の値と、をそれぞれかけ合わせたローカル周波数のローカル信号を発振する、付記１乃至４のいずれか１項に記載の受信装置。
（付記６）
前記仮分周比計算手段は、前記オペレーティングバンド毎に｛（前記ＲＦ周波数−前記目標ＩＦ周波数）／比較周波数｝の値を前記オペレーティングバンド毎の仮の分周比として計算する、付記１乃至５のいずれか１項に記載の受信装置。
（付記７）
前記周波数変換手段における周波数変換後のＩＦ周波数と前記復調手段における復調後のＤＣ周波数との差分をＮＣＯ周波数として計算するＮＣＯ周波数計算手段を更に備える、付記１乃至６のいずれか１項に記載の受信装置。
（付記８）
複数のＰＬＬ回路と複数の復調回路とを有する受信装置で用いられる情報処理装置であって、オペレーティングバンドに関する情報を入力する入力手段と、前記オペレーティングバンドに関する情報に基づいて特定されるＲＦ周波数と目標ＩＦ周波数とに基づいて仮の分周比を計算する仮分周比計算手段と、複数の素数の値を記憶する素数記憶手段と、
前記素数記憶手段に記憶された素数の中から前記仮分周比より小さい素数の値を前記分周比として決定する分周比決定手段と、を備える情報処理装置。
（付記９）
前記分周比決定手段で決定された分周比に前記複数のＰＬＬ回路で共通である比較周波数をかけたローカル周波数を計算するローカル周波数計算手段と、前記オペレーティングバンドに関する情報に基づいて特定されるＲＦ周波数と前記ローカル周波数との差分を具体的なＩＦ周波数として計算するＩＦ周波数計算手段と、前記オペレーティングバンドに関する情報に基づいて特定されるＤＣ周波数と前記具体的なＩＦ周波数との差分をＮＣＯ周波数として計算するＮＣＯ周波数計算手段と、を更に具備する付記９に記載の情報処理装置。
（付記１０）
オペレーティングバンドに関する情報を入力する入力ステップと、前記オペレーティングバンドに関する情報に基づいて特定されるＲＦ周波数と目標ＩＦ周波数とに基づいて仮の分周比を計算する仮分周比計算ステップと、複数の素数が記憶された記憶部から前記仮分周比より小さい素数の値を選択する選択ステップと、前記選択された素数を分周比として決定する決定ステップと、を有する分周比決定方法。
（付記１１）
前記ローカル信号発振手段は、ＰＬＬ（Phase locked loop）回路である、付記１乃至７に記載の受信装置。
【符号の説明】
【０１２１】
１０  アンテナ                      １１  低雑音増幅器
１２  フィルタ                      １３  ミキサ
１５  フィルタ                      １６  ＡＤ変換器
２１  第１ＰＬＬ回路                ２２  第２ＰＬＬ回路
２３  第３ＰＬＬ回路                ２４  第４ＰＬＬ回路
２５  ハイブリッド回路              ３０  ＴＲＸ設定制御回路
５０  ＦＰＧＡ回路                  ５１  分配器
６０  第１復調回路                  ６１  第１ＮＣＯ６２
６２  ＦＩＲフィルタ                ７０  第２復調回路
７１  第２ＮＣＯ                    ７２  第２ＦＩＲフィルタ
８０  第３復調回路                  ８１  第３ＮＣＯ
８２  第３ＦＩＲフィルタ            ９０  第４復調回路
９１  第４ＮＣＯ                    ９２  第４ＦＩＲフィルタ
１００  受信装置                    １０１  受信部
１０２  周波数変換部                １０３  素数記憶部
１０４  分周比決定部                １０５  ローカル信号発振部
１０６  ローカル信号合成部          ２００  受信装置
２１０  無線受信部                  ２２０  周波数変換部
２３０  ローカル信号発振制御部      ２３１  設定信号入力部
２３２  仮分周比計算部              ２３３  素数記憶部
２３４  分周比決定部                ２３５  割り付け部
２３６  復調回路制御部              ２４０  ローカル信号発振部
２４４  ローカル信号発振部          ２５０  ローカル信号合成部
２６０  復調部
【図１】
2013126074.tif 000003
【図２】
2013126074.tif 000004
【図３】
2013126074.tif 000005
【図４】
2013126074.tif 000006
【図５】
2013126074.tif 000007
【図６】
2013126074.tif 000008
【図７】
2013126074.tif 000009
【図８】
2013126074.tif 000010
【図９】
2013126074.tif 000011
【図１０】
2013126074.tif 000012
【図１１】
2013126074.tif 000013